(57)【要約】【課題】使用される状況に応じた演出を行うことができる発光器具を提供する。【解決手段】光を出力可能な複数の発光部１０ａ〜１０ｄの組合せからなる発光体１０と、発光体１０が出力した光のうち少なくとも一部を通過させて外方に放射する光透過性の有色または無色の透明体２００と、発光体１０に電力を供給するための給電部２０と、複数の発光部１０ａ〜１０ｄが出力する光を各々独立して制御可能な制御部３０とを有する。制御部３０は、該複数の発光部１０ａ〜１０ｄのうちランダムまたはある一定のアルゴリズムにより選択された一部の発光部を、残部の発光部とは輝度および色度のうち少なくとも一方が異なるように発光させる。【選択図】図１
2014038803.tif 000002
【特許請求の範囲】
【請求項１】
光を出力可能な複数の発光部の組合せからなる発光体と、
前記発光体が出力した光のうち少なくとも一部を通過させて外方に放射する光透過性の有色または無色の透明体と、
前記発光体に電力を供給するための給電部と、
前記複数の発光部が出力する光を各々独立して制御可能な制御部とを有し、
前記制御部は、該複数の発光部のうちランダムまたはある一定のアルゴリズムにより選択された一部の発光部を、残部の発光部とは輝度および色度のうち少なくとも一方が異なるように発光させる
ことを特徴とする発光器具。
【請求項２】
前記透明体が、表面および内部の少なくとも一方の少なくとも一部に光散乱構造を有する
ことを特徴とする請求項１に記載の発光器具。
【請求項３】
前記透明体は、前記発光体が出力した光を第１の方向と前記第１の方向とは異なる第２の方向とに放射し、前記第１の方向に放射される光が通過する部分に前記光を収束するための単数または複数のレンズ形状を有する
ことを特徴とする請求項１または請求項２に記載の発光器具。
【請求項４】
前記発光部が、有機ＥＬ素子からなる
ことを特徴とする請求項１から請求項３のうちいずれか１項に記載の発光器具。
【請求項５】
前記発光部が、発光ダイオードからなる
ことを特徴とする請求項１から請求項３のうちいずれか１項に記載の発光器具。
【請求項６】
前記発光部が、前記発光ダイオードに導光板を組み合わせた構造である
ことを特徴とする請求項５に記載の発光器具。
【請求項７】
前記複数の発光部が、それぞれ同色または異なる複数の色の光を発光可能である
ことを特徴とする請求項４から請求項６のいずれか１項に記載の発光器具。
【請求項８】
前記発光体が、直流電源により駆動される
ことを特徴とする請求項１から請求項７のいずれか１項に記載の発光器具。
【請求項９】
前記給電部が、交流電力を供給する外部電源との接続部と、前記外部電源から供給された前記交流電力を直流電力に変換する変換ユニットとから構成される
ことを特徴とする請求項１から請求項８のいずれか１項に記載の発光器具。
【請求項１０】
前記給電部は、前記発光体に電力を供給するための蓄電池と電気的に接続可能である
ことを特徴とする請求項１から請求項９のいずれか１項に記載の発光器具。
【請求項１１】
前記制御部を遠隔制御することが可能な操作部を備える
ことを特徴とする請求項１から請求項１０のいずれか１項に記載の発光器具。
【発明の詳細な説明】
【技術分野】
【０００１】
本発明は、半導体発光素子を用いた発光器具に関する。
【背景技術】
【０００２】
食卓等のテーブル上に設置される発光器具がある。そのような発光器具に、上方に向けて天井を照射するとともに、テーブルの上面を照射する光を発するものがある（例えば、特許文献１および特許文献２参照）。
【先行技術文献】
【特許文献】
【０００３】
【特許文献１】特開２００４−８７１６０号公報
【特許文献２】特開２００４−１０５２３１号公報
【発明の概要】
【発明が解決しようとする課題】
【０００４】
特許文献１に記載されている照明装置および特許文献２に記載されている照明装置は、予め決められた明るさおよび色彩の光で、予め決められた範囲を照射して一定の演出を行うように構成されている。従って、特許文献１に記載されている照明装置および特許文献２に記載されている照明装置は、使用される場所の雰囲気に基づいてそのような一定の演出が可能な状況においてのみ使用可能であり、当該照明装置を使用できる状況が限られてしまうという問題がある。
【０００５】
なお、特許文献２に記載されている照明装置は、飲料用の液体等の色彩が、発する光の色彩に反映されるが、当該照明装置が発する光の色彩を自由に決定することができないという問題がある。
【０００６】
本発明はこれらのような課題に鑑みてなされたものであり、その目的とするところは、使用される状況に応じた演出を行うことができる発光器具を提供することにある。
【課題を解決するための手段】
【０００７】
上記目的を達成するため、本発明の発光器具は、光を出力可能な複数の発光部の組合せからなる発光体と、前記発光体が出力した光のうち少なくとも一部を通過させて外方に放射する光透過性の有色または無色の透明体と、前記発光体に電力を供給するための給電部と、前記複数の発光部が出力する光を各々独立して制御可能な制御部とを有し、前記制御部は、該複数の発光部のうちランダムまたはある一定のアルゴリズムにより選択された一部の発光部を、残部の発光部とは輝度および色度のうち少なくとも一方が異なるように発光させることを特徴とする。
【０００８】
前記透明体が、表面および内部の少なくとも一方の少なくとも一部に光散乱構造を有することが好ましい。
【０００９】
前記透明体は、前記発光体が出力した光を第１の方向と前記第１の方向とは異なる第２の方向とに放射し、前記第１の方向に放射される光が通過する部分に前記光を収束するための単数または複数のレンズ形状を有することが好ましい。
【００１０】
前記発光部が、有機ＥＬ素子からなっていてもよい。
【００１１】
前記発光部が、発光ダイオードからなっていてもよく、さらに、前記発光部が、前記発光ダイオードに導光板を組み合わせた構造であってもよい。
【００１２】
前記複数の発光部が、それぞれ同色または異なる複数の色の光を発光可能であることが好ましい。
【００１３】
前記発光体が、直流電源により駆動されてもよい。
【００１４】
前記給電部が、交流電力を供給する外部電源との接続部と、前記外部電源から供給された前記交流電力を直流電力に変換する変換ユニットとから構成されてもよい。
【００１５】
前記給電部は、前記発光体に電力を供給するための蓄電池と電気的に接続可能であることが好ましい。
【００１６】
発光器具が、前記制御部を遠隔制御することが可能な操作部を備えることが好ましい。
【発明の効果】
【００１７】
本発明によれば、制御部が、発光体を構成する発光部のうち一部の発光部が発する光の輝度および色度を残部の発光部が発する光の輝度および色度とは異なるように制御可能であるので、使用される状況に応じて発する光の輝度および色度を調整可能になり、使用される状況に応じた照明演出を行うことができる。
【００１８】
また、透明体が、表面および内部の少なくとも一方の少なくとも一部に光散乱構造を有するので、発光部が発した各光および各光の合成光を発光器具の外方の様々な方向に放射することができる。
【００１９】
透明体は、発光体が出力した光を第１の方向と第１の方向とは異なる第２の方向とに放射し、第１の方向に放射される光が通過する部分に光を収束するための単数または複数のレンズ形状を有するように構成されているので、発光体が発してレンズ形状部の内面に入射した光を、例えば、天井における予め決められた範囲を照射する向きに収束して当該レンズ形状部の外方に放射し、天井を用いた照明演出を行うことができる。
【図面の簡単な説明】
【００２０】
【図１】本発明の実施の形態の発光器具の一構成例を示す斜視図である。
【図２】本実施の形態の発光部の構成例を示すブロック図である。
【図３】第１の変形例の透明体を示す斜視図である。
【図４】第２の変形例の透明体を示す斜視図である。
【図５】第３の変形例の透明体を示す斜視図である。
【図６】第４の変形例の透明体を示す斜視図である。
【図７】第５の変形例の透明体を示す説明図である。
【図８】第６の変形例の透明体を示す説明図である。
【発明を実施するための形態】
【００２１】
以下、図面に基づき本発明の実施形態について説明する。
図１は、本発明の実施の形態の発光器具の一構成例を示す斜視図である。図１に示すように、本実施の形態の発光器具は、光を発する発光構成部１００と、発光構成部１００が発した光が通過する中空の透明体２００とを含む。
【００２２】
図１に示すように、透明体２００は、両端に開口部を有する円筒状に形成された筒状部５００と、筒状部５００の一方の端部に接続されて、一方の開口部を覆うドーム状の凸レンズ形状に形成されているレンズ形状部４００とを含む。なお、筒状部５００とレンズ形状部４００とは、別体として構成されていてもよいし一体として構成されていてもよい。
【００２３】
図１に示す例では、発光構成部１００の上面１００ａに透明体２００の筒状部５００の他方の端部である開口縁部２００ａが接するように、当該発光構成部１００上に透明体２００が設置されている。発光構成部１００の上面１００ａには、上面に発光面を有する発光体１０が設けられている。図１に示す例では、透明体２００は、開口縁部２００ａが発光体１０の周囲を囲うように設置されて発光体１０が発した光が透明体２００の内面に入射するように構成されているが、例えば、発光構成部１００の上面１００ａにおいて、透明体２００の開口縁部２００ａに囲まれている範囲の面積よりも発光体１０の面積の方が広かったり、透明体２００の開口縁部２００ａに囲まれている範囲から発光体１０がはみ出していたりして、発光体１０が発した光の一部が透明体２００に入射するように構成されていてもよい。また、図１に示す例では、発光体１０は、発光部１０ａ〜１０ｄからなる。なお、発光構成部１００および発光体１０については後述する。
【００２４】
透明体２００は、光透過性を有する材料によってなり、発光体１０が発して内面に入射した光を通過させて外方に放射する。光透過性を有する材料には、具体的には、例えば、ガラスや、アクリル、ＰＥＴ（Ｐｏｌｙｅｔｈｙｌｅｎｅ  ｔｅｒｅｐｈｔｈａｌａｔｅ）、ポリカーボネート等が挙げられる。なお、耐候性および耐光性の観点から、透明体２００は、ガラスまたはアクリルによってなることが好ましい。
【００２５】
図１に示す透明体２００のレンズ形状部４００は、前述したように、一形状例として凸レンズを形成するようにドーム状をなしている。そのような構成によって、発光体１０が発してレンズ形状部４００の内面に入射した光は、予め決められた範囲を照射する向きに収束されて当該レンズ形状部４００の外方に放射される。具体的には、発光体１０が発してレンズ形状部４００の内面に入射した光は、透明体２００の上方（第１の方向）に放射される。
【００２６】
また、中空の透明体２００内には、発光構成部１００の上面１００ａに設置された発光体１０が上方に向かって発した光の少なくとも一部を当該透明体２００における筒状部５００の径方向に反射する散乱体３００が設置されている。従って、発光体１０が発して散乱体３００によって透明体２００の筒状部５００の径方向に反射された光は、透明体２００の筒状部５００の側方（第２の方向）に放射される。図１に示す例では、散乱体３００は、例えば、中空の透明体２００におけるレンズ形状部４００の内面から下方に吊り下げられている。なお、散乱体３００は、モータ等の駆動によって鉛直軸周りに回転可能に中空の透明体２００におけるレンズ形状部４００の内面から下方に吊り下げられていてもよい。なお、中空の透明体２００内に光透過性を有する充填剤が充填され、当該充填剤によって散乱体３００が保持されていてもよい。
【００２７】
図１には、散乱体３００の例として、星の輝きが図案化された板状体が示されているが、散乱体３００は他の形状であってもよい。具体的には、散乱体３００は、例えば、ミラーボールや、星型の板状体や立体形状体、炎に似せた板状体や立体形状体、果物に似せた板状体や立体形状体、花に似せた板状体や立体形状体、動物に似せた板状体や立体形状体、星座に似せた板状体や板状体等であってもよい。
【００２８】
また、散乱体３００を備える代わりに、または散乱体３００に加えて、透明体２００におけるレンズ形状部４００や筒状部５００に、絵が描かれていたり、磨りガラス状の細かな凹凸が設けられていたりしてもよく、磨りガラス上の細かな凹凸によって文字や絵等の模様が付されていてもよい。
【００２９】
図２は、本実施の形態の発光構成部１００の構成例を示すブロック図である。図２に示すように、本実施の形態の発光構成部１００は、光を発する発光体１０、発光体１０に電力を供給する給電部２０、発光体１０を制御する制御部３０、およびユーザによって操作される操作部４０を含む。
【００３０】
まず、発光体１０について説明する。発光体１０は、発光構成部１００の上面１００ａにおいて、例えば、１辺が１４ｃｍや７ｃｍの正方形状、または長辺が１４ｃｍで短辺が７ｃｍの長方形状の範囲から光を放射する。なお、発光構成部１００の上面１００ａにおける発光体１０の範囲は前記の範囲に限られず、さらに広い範囲でもよいし、狭い範囲でもよい。また、形状も正方形や長方形等の４角形状に限られず、５角形状以上の多角形状や３角形状や円形状等であってもよい。
【００３１】
発光体１０は、制御部３０によってそれぞれ制御される複数の発光部１０ａ〜１０ｄからなる（図１参照）。なお、図１に示す例では、発光体１０は、発光部１０ａ〜１０ｄの４個の発光体の組合せによってなるが、発光体１０は、５個以上の発光体の組合せによってなってもよいし、３個以下の発光体の組合せによってなってもよいし、１個の発光体によってなってもよい。また、図１に示す例では、発光部１０ａ〜１０ｄはタイル状に並設されているが、ストライプ状に併設されていてもよい。
【００３２】
そして、発光部１０ａ〜１０ｄは、例えば、それぞれ有機ＥＬ発光素子の組合せや発光ダイオードと導光板との組合せからなる面発光照明部材であることが好ましいが、電球等の点発光照明部材が並設されて各発光部１０ａ〜１０ｄのそれぞれを構成していてもよい。
【００３３】
なお、各発光部１０ａ〜１０ｄが有機ＥＬ発光素子の組合せによる面発光照明部材によってそれぞれ構成される場合について説明する。発光部１０ａ〜１０ｄが有機ＥＬ発光素子の組合せによる面発光照明部材によってそれぞれ構成される場合、各発光部１０ａ〜１０ｄである面発光照明部材は、例えば、３原色の発光素子から構成され、発光色が可変となっている。具体的には、有機ＥＬ発光素子の組合せによる面発光照明部材は、例えば、赤色光を発する複数の有機ＥＬ発光素子から構成される赤色発光素子群と、緑色光を発する複数の有機ＥＬ発光素子から構成される緑色発光素子群と、青色光を発する複数の有機ＥＬ発光素子から構成される青色発光素子群とから構成されている。そして、同じ色の有機ＥＬ発光素子の陽極側端子同士は互いに電気的に接続され、同じ色の有機ＥＬ発光素子の陰極側端子同士は互いに電気的に接続されている。有機ＥＬ発光素子の組合せによる面発光照明部材は、各色の有機ＥＬ発光素子の陽極側端子と陰極側端子との間に電圧が印加されると、各色の光を発する。具体的には、赤色発光素子群を構成する有機ＥＬ発光素子の陽極側端子と陰極側端子との間に電圧が印加されると赤色光を発し、青色発光素子群を構成する有機ＥＬ発光素子の陽極側端子と陰極側端子との間に電圧が印加されると青色光を発し、緑色発光素子群を構成する有機ＥＬ発光素子の陽極側端子と陰極側端子との間に電圧が印加されると緑色光を発する。有機ＥＬ発光素子の組合せによる面発光照明部材は、後述する制御部３０によって各有機ＥＬ発光素子の陽極側端子と陰極側端子との間に印加される電圧が制御されて、発する光の輝度や色度が制御される。
【００３４】
また、発光部１０ａ〜１０ｄが発光ダイオードと導光板との組合せによる面発光照明部材によってそれぞれ構成される場合について説明する。発光部１０ａ〜１０ｄが発光ダイオードと導光板との組合せによる面発光照明部材によってそれぞれ構成される場合、具体的には、各発光部１０ａ〜１０ｄである面発光照明部材は、例えば、供給される電流に応じて紫色または青色の光を発する複数のＬＥＤチップと、当該ＬＥＤチップが発した光を変換した蛍光をそれぞれ発する蛍光体部と、ＬＥＤチップおよび蛍光体部が発した光を所定の範囲に導いて発光部１０ａ〜１０ｄの発光面をそれぞれ構成する導光板とを含む。蛍光体部は、ＬＥＤチップが発した光を、例えば、赤色、緑色、および青色のいずれかに変換した蛍光を発する。そして、後述する制御部３０によって各色の蛍光を発する各蛍光体部に光を入射する各ＬＥＤチップに供給される電流が制御されて、発する光の輝度や色度が制御される。そして、ＬＥＤチップが発した光と蛍光体部が発した光との合成光は、導光板によって各発光部１０ａ〜１０ｄの発光面に導かれるとともに図１における上方に放射される。
【００３５】
給電部２０は、電力を供給する電源に接続される接続部２２と、接続部２２に供給された電力を発光体１０に応じた形式に変更して当該発光体１０に供給する変換ユニット２１とを含む。なお、電源は、例えば、商用電源や、高電圧の直流電力、乾電池等の蓄電池等である。変換ユニット２１は、例えば、電源から接続部２２に供給された交流電力を発光体１０に応じた電圧の直流電力に変換して発光体１０に供給する。また、変換ユニット２１は、例えば、電源から接続部２２に供給された高電圧の直流電力を発光体１０に応じた低電圧の直流電力に変換して発光体１０に供給する。あるいは、変換ユニット２１は、接続部２２に乾電池等の蓄電池が接続されて、当該蓄電池が供給する電力によって発光体１０を駆動する場合に、当該発光体１０に応じた電圧に変換して発光体１０に供給する。
【００３６】
操作部４０には、ユーザによって発光部１０が発する光を変化させるための操作がなされる。なお、操作部４０は、例えば、ダイヤル式、スライドスイッチ式、ボタン式、またはタッチセンサ式の操作手段を有し、当該操作手段になされた操作に応じた操作情報を制御部３０に入力する。なお、操作部４０は、操作情報を赤外線や電波等によって送信してもよい。そのような構成によれば、操作部４０を操作するユーザは、制御部３０を遠隔操作することが可能になる。
【００３７】
制御部３０は、輝度制御部３１と色度制御部３２とを含み、操作部４０になされた操作に応じた操作情報に基づいて、発光体１０の発光を制御する。輝度制御部３１は、発光体１０における複数の発光部１０ａ〜１０ｄが発する光の輝度をそれぞれ独立して制御する。色度制御部３２は、発光体１０における複数の発光部１０ａ〜１０ｄが発する光の色度をそれぞれ独立して制御する。そして、発光部１０ａ〜１０ｄは、輝度制御部３１および色度制御部３２の制御に従って、互いに異なる輝度および色度の光をそれぞれ発光可能である。
【００３８】
輝度制御部３１および色度制御部３２による発光部１０ａ〜１０ｄの制御について説明する。輝度制御部３１および色度制御部３２は、発光部１０ａ〜１０ｄがそれぞれ互いに異なる輝度および色度の光を発するように制御する。すると、発光体１０において、発光部１０ａ〜１０ｄの各領域がそれぞれ互いに異なる輝度および色度の光を発する。
【００３９】
散乱体３００の各部分は、発光体１０における発光部１０ａ〜１０ｄの各領域がそれぞれ発した光を、例えば、透明体２００の筒状部５００の径方向や上方に反射する。具体的には、例えば、散乱体３００において発光部１０ａに近い第１の部分が、発光部１０ａが発した光を透明体２００の筒状部５００の第１の径方向を含む所定の範囲に反射し、散乱体３００において発光部１０ｂに近い第２の部分が、発光部１０ｂが発した光を透明体２００の筒状部５００の第２の径方向を含む所定の範囲に反射し、散乱体３００において発光部１０ｃに近い第３の部分が、発光部１０ｃが発した光を透明体２００の筒状部５００の第３の径方向を含む所定の範囲に反射し、散乱体３００において発光部１０ｄに近い第４の部分が、発光部１０ｄが発した光を透明体２００の筒状部５００の第４の径方向を含む所定の範囲に反射する。
【００４０】
散乱体３００は、前述したように、星の輝きが図案化された板状体や、ミラーボール等のような形態である。そうすると、そのような構成によって、発光部１０ａ〜１０ｄの各領域の光の反射方向である第１の径方向を含む所定の範囲と第２の径方向を含む所定の範囲と第３の径方向を含む所定の範囲と第４の径方向を含む所定の範囲とは少なくとも隣り合う範囲の一部が互いに重なり合い、発光部１０ａ〜１０ｄが発した光は散乱体３００の各部分によって様々な方向に反射される。従って、輝度制御部３１および色度制御部３２による発光部１０ａ〜１０ｄの制御によって発光部１０ａ〜１０ｄの各領域がそれぞれ発した輝度および色度が互いに異なる光の合成光が、透明体２００の筒状部５００から径方向外方（透明体２００の筒状部５００の側方）に向かって放射される。
【００４１】
よって、散乱体３００の各部分によって反射された様々な輝度および色度の光が透明体２００の筒状部５００から径方向外方に照射されて、散乱体３００自体や、発光器具の設置面や周囲の壁面において装飾的な照明演出を実現することができる。
【００４２】
また、発光部１０ａ〜１０ｄがそれぞれ発した光のうち、散乱体３００によって上方に反射された光、および散乱体３００によって反射されなかった残部の光は、透明体２００のレンズ形状部４００の内面に入射し、予め決められた範囲を照射する向きに収束されて当該レンズ形状部４００の外方に放射される。従って、透明体２００のレンズ形状部４００から外方上方に向かって、発光部１０ａ〜１０ｄの各領域がそれぞれ発した光の合成光が放射される。
【００４３】
よって、透明体２００の外方上方に様々な輝度および色度の光が照射されて、当該発光器具の設置面や周囲の壁面に加えて、発光器具の上方の天井も用いて装飾的な照明演出を実現することができる。
【００４４】
なお、輝度制御部３１および色度制御部３２は、ランダムに、または一定のアルゴリズムによって、発光部１０ａ〜１０ｄのうちの一部の発光部であるいずれか１つ以上の発光部を所定の時間間隔で選択し、選択した発光部と残部の発光部とは輝度および色度のうち少なくとも一方が異なるように発光させてもよい。そのような制御によって、透明体２００の外方に放射される光の輝度および色度を所定の時間間隔で変化させることができる。
【００４５】
具体的には、例えば、色度制御部３２が、発光部１０ａ〜１０ｄのうちの一部の発光部を選択して１９００Ｋ（ろうそくの炎が発する光の色温度に相当）よりもやや高い色温度（例えば、１９５０Ｋ程度）の色度の光を発するように制御するとともに、残部の発光部を１９００Ｋよりもやや低い色温度（例えば、１８５０Ｋ程度）の色度の光を発するように制御し、選択する発光部を所定の時間間隔でランダムに、または一定のアルゴリズムとしての所定の順序（例えば、発光部１０ａ→発光部１０ｂ→発光部１０ｃ→発光部１０ｄ等）で変化させることによって、散乱体３００において、高い色温度の色度の光が照射される部分と低い色温度の色度の光が照射される部分とが所定の時間間隔で変化し、ゆらめくろうそくの炎を摸した照明演出を行うことができる。なお、輝度制御部３１が、色度制御部３２の制御に連動して、各発光部が発する光の輝度を変化させる制御を行ってもよい。また、輝度制御部３１が、選択した発光部１０ａ〜１０ｄのうちの一部の発光部の輝度を残部の発光部の輝度と異ならせるように制御してもよい。さらに、色度制御部３２が、輝度制御部３１の制御に連動して、各発光部が発する光の色度を変化させる制御を行ってもよい。また、輝度制御部３１および色度制御部３２が行う発光部１０ａ〜１０ｄの発光の制御は、所定の時間間隔で変化させる場合に限られず、ランダムに、または一定のアルゴリズムに基づく間隔で変化させてもよい。
【００４６】
なお、輝度制御部３１および色度制御部３２は、発光部１０ａ〜１０ｄが発する光の輝度および色度を互いに異ならせることなく、発光体１０の全体が一体として統一された輝度および色度の光を発するように発光部１０ａ〜１０ｄが制御されてもよい。そのような制御によっても、輝度制御部３１および色度制御部３２が発光体１０の全体が発する光の輝度および色度を変化させて、様々な照明演出を行うことができる。
【００４７】
また、輝度制御部３１および色度制御部３２は、発光部１０ａ〜１０ｄが発する光の輝度および色度を互いに連動させて変化させてもよい。具体的には、例えば、輝度制御部３１によって制御される発光体１０の発光部１０ａ〜１０ｄが発する光の輝度の変化に連動して、色度制御部３２が、当該発光部１０ａ〜１０ｄが発する光の色度座標値が黒体輻射軌跡曲線から所定の範囲内（具体的には、例えば、ＣＩＥ（１９３１）ＸＹＺ表色系のＸＹ色度図において、光の色度座標の黒体輻射軌跡曲線からの偏差ｄｕｖの値が−０．０２以上であって０．０２以下の範囲内）で移動するように色度を制御する。
【００４８】
具体的に色度及び輝度を制御する方法としては、発光部１０ａ〜１０ｄが有機ＥＬ発光素子の組合せによる面発光照明部材によってそれぞれ構成される場合には、輝度制御部３１が、赤色発光素子群を構成する有機ＥＬ発光素子の陽極側端子と陰極側端子との間に流れる電流値と、緑色発光素子群を構成する有機ＥＬ発光素子の陽極側端子と陰極側端子との間に流れる電流値と、青色発光素子群を構成する有機ＥＬ発光素子の陽極側端子と陰極側端子との間に流れる電流値とを変化させて発光部１０ａ〜１０ｄから発せられる合成光の輝度を変化させるときに、各色の発光素子群が発した光の合成光の色度座標値が所望の値となるように、色度制御部３２が、各電流値の比率を制御する。
【００４９】
より具体的には、赤色発光素子群を構成する有機ＥＬ発光素子の陽極側端子と陰極側端子との間に流れる電流値が大きくなれば合成光の赤色成分が増大し、緑色発光素子群を構成する有機ＥＬ発光素子の陽極側端子と陰極側端子との間に流れる電流値が大きくなれば合成光の緑色成分が増大し、青色発光素子群を構成する有機ＥＬ発光素子の陽極側端子と陰極側端子との間に流れる電流値が大きくなれば合成光の青色成分が増大する。従って、各色の発光素子群が発した光の合成光の色度は、各電流値の比率によって制御可能である。そこで、各色の発光素子群が発した光の合成光の色度座標値が所望の値となるように、色度制御部３２が、各電流値の比率を制御するのである。
【００５０】
また、発光部１０ａ〜１０ｄが発光ダイオードと導光板との組合せによる面発光照明部材によってそれぞれ構成される場合には、輝度制御部３１が、赤色の光を発する発光部材に対応するＬＥＤチップに流れる電流値と、緑色の光を発する発光部材に対応するＬＥＤチップに流れる電流値と、青色の光を発する発光部材に対応するＬＥＤチップに流れる電流値とを変化させて発光部１０ａ〜１０ｄから発せられる合成光の輝度を変化させるときに、各色の発光素子群が発した光の合成光の色度座標値が所望の値となるように、色度制御部３２が、各ＬＥＤチップに流れる電流値の比率を制御する。
【００５１】
より具体的には、赤色の光を発する発光部材に対応するＬＥＤチップに流れる電流値が大きくなれば合成光の赤色成分が増大し、緑色の光を発する発光部材に対応するＬＥＤチップに流れる電流値が大きくなれば合成光の緑色成分が増大し、青色の光を発する発光部材に対応するＬＥＤチップに流れる電流値が大きくなれば合成光の青色成分が増大する。従って、各色の発光素子群が発した光の合成光の色度は、各ＬＥＤチップに流れる電流値の比率によって制御可能である。そこで、各色の発光素子群が発した光の合成光の色度座標値が所望の値となるように、色度制御部３２が、各ＬＥＤチップに流れる電流値の比率を制御するのである。
【００５２】
ここで、各色の発光素子又は発光部材に流れる電流値を変化させる代わりに、一定の電流値を流す時間を制御することにより、合成光の色度および輝度のうち少なくとも一方を制御してもよい。
【００５３】
そのような制御によって、発光体１０から輝度を変化可能に白色光や白熱電球が発する光を摸した光を出力させることができる。また、白色光に限られず、太陽光等を摸した色度の光を輝度を変化可能に出力させてもよい。なお、色度の変化に応じて輝度を変化させてもよい。
【００５４】
なお、図１に示すように発光構成部１００の上面１００ａに設置されている透明体２００は、他の形態の透明体と交換可能であってもよい。そこで、次に、本発明の実施の形態の発光器具における透明体２００の変形例について説明する。以下に述べる各変形例の透明体は、図１に示す透明体２００と同様に、発光構成部１００の上面１００ａに設置可能である。
【００５５】
＜変形例１＞
図３は、第１の変形例の透明体２００ａを示す斜視図である。図１に例示した透明体２００は、円筒状に形成された筒状部５００と、筒状部５００の一方の端部に接続されて、一方の開口部を覆うドーム状の凸レンズ形状に形成されているレンズ形状部４００とを含んでいたが、本変形例の透明体２００ａは、中空な四角柱状に形成された筒状部５００ａと、筒状部５００ａの一方の端部に接続されて開口部を覆い、底面が開口した中空な四角錐状に形成されて蓋状のレンズ形状部４００ａとを含む。なお、筒状部５００ａとレンズ形状部４００ａとは、別体として構成されていてもよいし一体として構成されていてもよい。
【００５６】
そのような透明体２００ａが採用された場合には、図１に示す透明体２００および後述する他の変形例の透明体が発光構成部１００の上面１００ａに設置された場合とは異なる範囲に光を照射して、透明体２００および後述する他の変形例の透明体が設置された場合とは異なる照明演出を行うことができる。
【００５７】
＜変形例２＞
図４は、第２の変形例の透明体２００ｂを示す斜視図である。図１に例示した透明体２００は、筒状部５００とレンズ形状部４００とを含んでいたが、本変形例の透明体２００ｂは、レンズ形状部４００に相当する部分のみからなる中空の半球状に形成されている。
【００５８】
そのような透明体２００ｂが採用された場合には、図１に示す透明体２００および他の変形例の透明体が発光構成部１００の上面１００ａに設置された場合とは異なる範囲に光を照射して、透明体２００および他の変形例の透明体が設置された場合とは異なる照明演出を行うことができる。また、高さが低い小型の発光器具を実現することができる。
【００５９】
＜変形例３＞
図５は、第３の変形例の透明体２００ｃを示す斜視図である。本変形例の透明体２００ｃは、図１に例示した透明体２００における、筒状部５００に相当する筒状部５００ｃとレンズ形状部４００に相当するレンズ形状部４００ｃとを含み、さらに、ドーム状のレンズ形状部４００ｃの頂部に設けられた開口に応じて底面が開口した中空な６角柱状に形成された先端部４０１ｃが設けられている。なお、筒状部５００ｃおよびレンズ形状部４００ｃと、レンズ形状部４００ｃおよび先端部４０１ｃとは、それぞれ別体として構成されていてもよいし一体として構成されていてもよい。
【００６０】
そのような透明体２００ｃが採用された場合には、図１に示す透明体２００および他の変形例の透明体が発光構成部１００の上面１００ａに設置された場合とは異なる範囲に光を照射して、透明体２００および他の変形例の透明体が設置された場合とは異なる照明演出を行うことができる。なお、ドーム状のレンズ形状部４００ｃの頂部に設けられている先端部４０１ｃの形状は中空な６角形状に限られず、中空な他の多角形状や円柱形状等であってもよい。つまり、本変形例では、レンズ形状部４００ｃは、ドーム状の凸レンズ形状に形成されている部分と中空な６角柱状に形成された先端部４０１ｃとが組み合わされているが、他のレンズ形状（例えば、凹レンズ形状）に形成されている一の部分と、当該一の部分における形状とは異なる他の形状に形成されている残部とが組み合わされて形成されていてもよい。
【００６１】
＜変形例４＞
図６は、第４の変形例の透明体２００ｄを示す斜視図である。本変形例の透明体２００ｄは、図１に例示した透明体２００における、筒状部５００に相当する筒状部５００ｃとレンズ形状部４００に相当するレンズ形状部４００ｄとを含む。図１に例示した透明体２００におけるレンズ形状部４００は、筒状部５００の開口部を覆うドーム状の凸レンズ形状に形成されていたが、本変形例のレンズ形状部４００ｄは、筒状部５００の開口部を覆う板状体の上面に、複数の凸レンズによってなるマイクロレンズアレイが形成されている。
【００６２】
そのような透明体２００ｂが採用された場合には、図１に示す透明体２００および他の変形例の透明体が発光構成部１００の上面１００ａに設置された場合とは異なる範囲に光を照射して、透明体２００および他の変形例の透明体が設置された場合とは異なる照明演出を行うことができる。また、高さが低い小型の発光器具を実現することができる。なお、図６に示す例では、筒状部５００の開口部を覆う板状体の上面に、複数の凸レンズによってなるマイクロレンズアレイが形成されているが、複数の凹レンズによってなるマイクロレンズアレイが形成されていてもよく、複数の凸レンズと複数の凹レンズとの組合せによってなるマイクロレンズアレイが形成されていてもよい。
【００６３】
＜変形例５＞
図７（ａ）は、第５の変形例の透明体２００ｅを示す上面図である。図７（ｂ）は、図７（ａ）に示すVII-VII線に沿う断面図である。図１に例示した透明体２００は、円筒状に形成された筒状部５００と、筒状部５００の一方の端部に接続されて、開口部を覆うドーム状の凸レンズ形状に形成されているレンズ形状部４００とを含んでいたが、本変形例の透明体２００ｅは、筒状部５００に相当する筒状部５００ｅと、筒状部５００ｅの一方の端部に接続されて、開口部を覆うドーム状の凹レンズ形状に形成されているレンズ形状部４００ｅとを含む。
【００６４】
そのような透明体２００ｅが採用された場合には、図１に示す透明体２００および他の変形例の透明体が発光構成部１００の上面１００ａに設置された場合とは異なる範囲に光を照射して、透明体２００および他の変形例の透明体が設置された場合とは異なる照明演出を行うことができる。また、高さが低い小型の発光器具を実現することができる。
【００６５】
＜変形例６＞
図１および図３〜図７に例示した各透明体は、中空であるとして説明したが、前述したように、中空の各透明体内に光透過性を有する充填剤が充填されていてもよい。図８は、そのような構成の透明体である第６の変形例の透明体２００ｆを示す斜視図である。図８に示す例では、透明体２００ｆは、図１に例示した透明体２００におけるレンズ形状部４００および筒状部５００と同様な形状のレンズ形状部４００ｆと筒状部５００ｆとを含む。そして、透明体２００ｆ内には、光透過性を有する充填剤６００が充填されている。散乱体３００は、充填剤６００によって支持されている。なお、充填剤６００は、以上に述べた各透明体と同様に、光透過性を有していれば、無色透明であってもよいし、有色透明であってもよい。
【００６６】
本変形例によれば、充填剤６００に光散乱剤等を混合して、発光体１０が発した光の外方への放射方向を散乱させたりすることができる。また、充填剤６００に顔料を均一にまたは不均一に混合して有色透明にすることによって、発光体１０が発した光の色を変化させることができる。
【００６７】
なお、本例では、図１に例示した透明体２００におけるレンズ形状部４００および筒状部５００と同様な形状のレンズ形状部４００ｆと筒状部５００ｆとを含む透明体２００ｆ内に充填剤６００が充填されているが、他の例の透明体２００ａ〜２００ｅの内部に充填剤６００が充填されていても、同様な効果を奏することができる。
【００６８】
図１および図３〜図７に例示した各透明体は、内部が空洞である中空であるとして説明し、第６の変形例では当該内部に充填剤６００が充填される場合について説明した。しかし、図１および図３〜図７に例示した各透明体は、外縁から中心部に至るまで同様な材料によって成る中実に形成されていてもよい。
【００６９】
透明体２００の形状は、以上に述べた各例における形状に限られず、他の様々な形状であってよい。例えば、筒状部５００は互いに異なる複数の形状の組合せによって構成され、具体的には、筒状部５００において、上側が円筒形状で下側が中空な直方体形状となっていたりして、上側と下側とで形状が異なっていてもよいし、クリスタルカット等の形状であってもよい。また、以上に述べた各例の形状が組み合わされてもよい。具体的には、例えば、第１の変形例と第４の変形例とが組み合わされて、第１の変形例のレンズ形状部４００ａにマイクロレンズアレイが形成されていてもよいし、いずれかの例の筒状部５００にマイクロレンズアレイが形成されていてもよい。なお、各変形例において、散乱体３００は設置されていてもよいし、設置されていなくてもよい。
【００７０】
本実施の形態によれば、制御部３０が、発光体１０が発する光の輝度および色度を制御可能であるので、使用される状況に応じて発する光の輝度および色度を制御して、使用される状況に応じた照明演出を行うことができる。
【００７１】
さらに、制御部３０は、発光体１０を構成する発光部１０ａ〜１０ｄのうち一部の発光部が発する光の輝度および色度を残部の発光部が発する光の輝度および色度とは異なるように制御可能であるので、使用される状況に応じてさらに多様な照明演出を行うことができる。
【００７２】
また、透明体２００に散乱体３００が設置されているので、散乱体３００が発光体１０を構成する発光部１０ａ〜１０ｄが発した各光および各光の合成光を様々な方向に反射して、発光器具の外方に放射することができる。
【００７３】
透明体２００がレンズ形状部４００を備え、レンズ形状部４００が凸レンズを形成している場合には、発光体１０が発してレンズ形状部４００の内面に入射した光を、例えば、天井における予め決められた範囲を照射する向きに収束して当該レンズ形状部４００の外方に放射して、天井を用いた照明演出を行うことができる。
【００７４】
また、第５の変形例のようにレンズ形状部４００ｅが凹レンズを形成している場合には、発光体１０が発してレンズ形状部４００の内面に入射した光を、レンズ形状部４００のように凸レンズを形成している場合よりも、天井において広い範囲を照射する向きに拡散させて当該レンズ形状部４００の外方に放射して、天井を用いた照明演出を行うことができる。
【００７５】
本発明による発光器具は、接続部２２に乾電池等の蓄電池が接続可能であるので、商用電源から電力を供給されることが困難な場所であっても、乾電池等の蓄電池を用いて照明演出を行うことができる。
【符号の説明】
【００７６】
１０    発光体
１０ａ、１０ｂ、１０ｃ、１０ｄ  発光部
２０    給電部
２１    変換ユニット
２２    接続部
３０    制御部
３１    輝度制御部
３２    色度制御部
４０    操作部
１００  発光部
２００  透明部
３００  散乱部
４００  レンズ形状部
５００  筒状部
６００  充填剤
【図１】
2014038803.tif 000003
【図２】
2014038803.tif 000004
【図３】
2014038803.tif 000005
【図４】
2014038803.tif 000006
【図５】
2014038803.tif 000007
【図６】
2014038803.tif 000008
【図７】
2014038803.tif 000009
【図８】
2014038803.tif 000010